(57)【要約】  ポーションパッケージ（３）の使用しながら合計製品を作製するための飲料準備マシン（１）の動作のための方法であって、上記方法は、飲料準備マシン（１）によって行なわれる、  ・通信ユニット（１５）によって、飲料準備マシン（１）においてあるアクションをアクティベートするためのアクティベーションコマンドと、認証情報とを受信するための受信ステップ（８１）と、  ・認証情報に基づいて、飲料準備マシンにおいてあるアクションをアクティベートすることについて、特に、作製のリモートアクティベーションについて承認されている動作機器（４ａ，４ｂ，４ｃ）からアクティベーションコマンドが生じているかどうかを検討するための検討ステップ（８２）と、  動作機器がこれについて承認されている場合にのみ、  ・合計製品を作製するために特に作製ステップ（８５）といったアクションを行なうステップとを含む。
2020513898.tif 000002
【特許請求の範囲】
【請求項１】
ポーションパッケージ（３）の使用中に合計製品を作製するための飲料準備マシン（１）の動作のための方法であって、前記飲料準備マシン（１）は、無線通信のために設計されている通信ユニット（１５）を含んでおり、前記方法は少なくとも、前記飲料準備マシン（１）によって行なわれる、
・前記通信ユニット（１５）によって、前記飲料準備マシンにおいてあるアクションをアクティベートするためのアクティベーションコマンドと、認証情報とを受信するための受信ステップ（８１）と、
・前記認証情報に基づいて、前記飲料準備マシン（１）において前記あるアクションをアクティベートすることについて、特に、作製のリモートアクティベーションについて承認されている動作機器（４ａ，４ｂ，４ｃ）から前記アクティベーションコマンドが生じているかどうかを検討するための検討ステップ（８２）と、
前記動作機器がこれについて承認されている場合にのみ、
・前記合計製品を作製するために特に作製ステップ（８５）といった前記アクションを行なうステップとを含む、方法。
【請求項２】
前記飲料準備マシン（１）は、いくつかの動作機器（４ａ，４ｂ，４ｃ）との無線通信のために構成可能であり、異なる承認がこれらの動作機器に割り当てられており、前記飲料準備マシン（１）のアクションは、動作機器（４）に割り当てられる承認に従って、この動作機器（４）によってアクティベート可能であるか、または、アクティベート可能ではない、請求項１に記載の方法。
【請求項３】
前記検討ステップ（８２）は、前記飲料準備マシン（１）において行なわれる、
・前記認証情報に基づき、前記認証情報に割り当てられる承認を決定するステップと、
・この承認が、特に作製の前記リモートアクティベーションの前記あるアクションの前記アクティベーションを許可するかどうか検討するステップとを含む、請求項２に記載の方法。
【請求項４】
少なくとも１つの上位承認および少なくとも１つの下位承認が前記飲料準備マシン（１）に格納されており、前記飲料準備マシン（１）は、前記飲料準備マシン（１）のアクチュエータによりマシンアクションを行なうために設計されており、
・前記上位承認のみが、特に作製ステップといった少なくとも１つのマシンアクションがアクティベートされることが許可されることを含んでおり、
・前記下位承認は、特に作製ステップといったマシンアクションが、アクティベートされることが許可されないことを含む、請求項２〜３のいずれか１項に記載の方法。
【請求項５】
さらに、少なくとも１つの中間承認が前記飲料準備マシン（１）において格納可能であり、
・前記上位承認のみが、中間承認を新しく作成するためのアクション、または、前記中間承認を変更するためのアクションがアクティベートされることが許可されることを含んでおり、
・前記中間承認が、特に作製ステップといった少なくとも１つのマシンアクションがアクティベートされることを許可されることを含む、請求項４に記載の方法。
【請求項６】
中間承認を作成する際に、この中間承認は、割り当てられた認証情報と一緒に前記飲料準備マシン（１）に格納される、請求項５に記載の方法。
【請求項７】
第２の動作機器（４ｂ）のための中間承認の作成は、第１の動作機器（４ａ）によって実行され、
・前記第１の動作機器（４ａ）が、前記飲料準備マシン（１）およびその通信ユニット（１５）とそれぞれ通信し、前記飲料準備マシン（１）において中間承認の作成をアクティベートし、前記飲料準備マシン（１）において、基本認証情報がこの中間承認に割り当てられるステップと、
・前記第１の動作機器（４ａ）が、前記第２の動作機器（４ｂ）にリモート認証情報を送信し、前記リモート認証情報が、前記飲料準備マシン（１）に格納される前記基本認証情報に基づいて、前記第２の動作機器（４ｂ）が前記飲料準備マシン（１）において自身を認証することを許可するステップとが実行される、請求項６に記載の方法。
【請求項８】
前記第１の動作機器（４ａ）が前記第２の動作機器（４ｂ）に前記リモート認証情報を送信する第２の通信媒体が、前記第１の動作機器（４ａ）が前記飲料準備マシン（１）と通信する第１の通信媒体とは異なる、請求項７に記載の方法。
【請求項９】
特に、前記第１の動作機器（４ａ）は、
・前記第１の動作機器（４ａ）のディスプレイ上で文字列を表示し、前記第２の動作機器（４ｂ）においてこのコードを手動で入力することと、
・前記第１の動作機器のディスプレイ上に、たとえばバーコードといった視覚的コードを表示し、前記第２の動作機器（４ｂ）によって前記コードを光学的にスキャニングおよびデコードすることと、
・音響信号と、
・たとえばブルートゥースまたはＮＦＣといった短距離無線プロトコルと
のうちの１つによって、
短距離内でのみ動作する通信を介して前記第２の動作機器（４ｂ）に前記リモート認証情報を送信する、請求項７または８に記載の方法。
【請求項１０】
動作機器（４）への承認の割り当ては、同じ認証情報と、前記飲料準備マシン（１）に格納される承認とを使用する同じ承認の動作機器（４）が、この認証情報に割り当てられることにより実現される、請求項２〜９のいずれか１項に記載の方法。
【請求項１１】
動作機器（４）への承認の前記割り当ては、個々の認証情報と、前記飲料準備マシン（１）に格納される承認とを使用する前記動作機器（４）の各々が、この個々の認証情報に割り当てられることにより実現される、請求項２〜９のいずれか１項に記載の方法。
【請求項１２】
特に、前記作製ステップといった前記飲料準備マシン（１）におけるあるアクションは、対応するアクティベーションコマンドが、前記飲料準備マシン（１）自身によってベースステーションとして規定される無線ネットワークにおいて受信される場合にのみアクティベート可能である、先行する請求項のいずれか１項に記載の方法。
【請求項１３】
請求項１〜６のいずれか１項に記載の方法を実行するように設計されている、飲料準備マシン（１）。
【請求項１４】
ユーザとのインタラクションのため、かつ、請求項１３に記載の前記飲料準備マシン（１）の通信ユニット（１５）との無線通信のための動作機器（４ａ）の動作のためのコンピュータプログラムであって、前記動作機器（４ａ）上での実行の際、前記コンピュータプログラムは少なくとも、第２の動作機器（４ｂ）のための中間承認を作成するために、
・前記飲料準備マシン（１）における割り当てられた基本認証情報により中間承認を作成するためのコマンドを前記飲料準備マシン（１）に送信するステップと、
・前記飲料準備マシン（１）に格納される前記基本認証情報に基づいて、前記第２の動作機器（４ｂ）が前記飲料準備マシン（１）において自身を認証することを許可するリモート認証情報を前記第２の動作機器（４ｂ）に送信するステップとを実行する、コンピュータプログラム。
【発明の詳細な説明】
【技術分野】
【０００１】
本発明は、ポーションパッケージング（たとえばカプセル）と、ポーションパッケージングに含まれる抽出材料（たとえばコーヒー）とを有するポーションパッケージから飲料などを準備するための飲料準備マシンに関する。特定的には、本発明は、飲料準備マシンの動作のための方法と、飲料準備マシンと、動作機器の動作のためのコンピュータプログラムとに関する。
【背景技術】
【０００２】
ポーションパッケージ中に存在する抽出材料から飲料などを準備するための飲料準備マシンは、たとえばコーヒーマシンまたはエスプレッソマシンとして公知である。多くの対応するシステムでは、ポーションパッケージングは、抽出材料がたとえば密閉した態様で封止されるカプセルとして設計されている。抽出のために、カプセルは、カプセルレシーバに配置され、たとえば互いに対向する２つの側が突き刺される。一般にお湯である抽出流体が第１の側に投入される。抽出物が第２の側面においてカプセルから放出される。これはいわゆる導入モジュールにおいて行われる。
【０００３】
導入モジュールとは別に、たとえばミルクのようなさらに別の飲料構成要素を送達および追加するための１つ以上のさらに別のユニットが存在し得る。したがって、飲料準備マシンは、飲料、または、一般的に言うと２つの部分製品の合計製品を作り出し得る。
【０００４】
欧州特許出願第１５  １９４  ７３５号は、いくつかの部分製品の製品を作り出すための飲料準備マシンの動作のための方法を記載しており、当該部分製品の量割合が量割合のグラフィックディスプレイ上でユーザによって適合され得る。
【０００５】
欧州特許出願第１５  １９４  ６６７号は、ポーションパッケージのポーションコードにより決定される準備パラメータを使用しながらの飲料準備マシンの動作のための方法を記載している。ここで、個々の準備パラメータはユーザによって適合可能である。
【０００６】
たとえば、携帯電話またはスマートフォンといったモバイルまたはポータブルであり得る動作機器との飲料準備マシンの通信のオプションが前述の特許出願に記載されている。動作機器により、準備規定またはレシピが飲料準備マシンに送信され得るか、または、飲料準備マシンに格納される準備規定が修正され得る。当該準備は、飲料準備マシン自体においてユーザによって実行される動作ステップによってアクティベートされることが意図される。
【発明の概要】
【発明が解決しようとする課題】
【０００７】
本発明の可能な１つの目的は、ユーザにとって快適であると同時に信頼性がある飲料準備マシンの動作を実現することと、この実現を可能にする、飲料準備マシンの動作のための対応する方法、飲料準備マシンおよびコンピュータプログラムを提供することとである。
【０００８】
本発明のさらに別の可能な目的は、ユーザのために飲料準備マシンの動作を簡素化することである。
【課題を解決するための手段】
【０００９】
この目的は、特許請求の範囲に記載の飲料準備マシンの動作のための方法、飲料準備マシン、方法、および、コンピュータプログラムによって達成される。
【００１０】
したがって、当該方法は、ポーションパッケージを使用しながら合計製品を作製するための飲料準備マシンの動作のために機能し、飲料準備マシンは、無線通信のために設計されている通信ユニットを含んでおり、上記方法は少なくとも、飲料準備マシンによって行なわれる、
・通信ユニットによって、飲料準備マシンにおいてあるアクションをアクティベートするためのアクティベーションコマンドと、認証情報とを受信するための受信ステップと、
・認証情報に基づいて、飲料準備マシンにおいてあるアクションをアクティベートすることについて、特に、作製のリモートアクティベーションについて承認されている動作機器からアクティベーションコマンドが生じているかどうかを検討するための検討ステップと、
動作機器がこれについて承認されている場合にのみ、
・合計製品を作製するために特に作製ステップといったアクションを行なうステップとを含む。
【００１１】
実施形態では、認証情報はパスワードの形態で送信（伝送）される。これは公知のＰＡＰ（「パスワード認証プロトコル」）であり得る。本願明細書において、パスワードは常に同じものであり得るか、または、システム的に変更され得る。
【００１２】
実施形態では、認証情報は、飲料準備マシンおよび動作機器が情報を交換するマルチステップ方法において決定される。これは公知のＣＨＡＰ（「チャレンジハンドシェイク認証プロトコル」）であり得る。
【００１３】
実施形態において、認証情報は、たとえばＥＡＰ（「拡張認証プロトコル」）方法、証明書ベースの暗号方法、または、ケルベロスのような認証サーバを利用する方法といったさらに別の方法において決定される。
【００１４】
認証情報は、動作機器がある識別性を有しているか、または、動作機器のあるグループに属するという事実を表わす。典型的に、認証情報と、これにより、動作機器の識別性またはグループ加入とが各々、ある承認または承認ステージに割り当てられる。そのような承認は、動作機器が飲料準備マシンにおいてどのアクションをアクティベートし得るか定義し得る。アクションは、飲料準備マシンの作製ユニット（たとえばベースユニットまたは補助ユニット）が、たとえば製品を作製するために、または、マシンを清掃するために、ポンプ、加熱要素、バルブなどといった動作アクチュエータまたはハードウェアユニットによりアクティベートされるマシンアクションであり得る。アクションはさらに、飲料準備マシンに格納されるデータの読出または書込であり得る。
【００１５】
承認はたとえば、１つ以上のアクションについて「真」または「偽」の割り当てられた論理値を含むテーブルであり得、当該論理値は、そのアクションが実行されることが許可されているかどうかを表す。しかしながら、承認はさらに、たとえば、承認（たとえば「上位ステージ」または「下位ステージ」の値を有する）を表わす変数を処理するプログラムであって、この変数の値に従って、かつ、これがアクションを実行するかまたは実行しないかによって分岐するプログラムによって、暗黙的にまたは手続きに従って実施され得、飲料準備マシンに格納され得る。
【００１６】
実施形態において、飲料準備マシンは、いくつかの動作機器との無線通信のために構成可能であり、異なる承認がこれらの動作機器に割り当てられ、飲料準備マシンのアクションは、動作機器に割り当てられる承認に従って、この動作機器によってアクティベート可能であるか、または、アクティベート可能ではない。
【００１７】
実施形態において、上記検討ステップは、飲料準備マシンにおいて行なわれる、
・認証情報に基づき、認証情報に割り当てられる承認を決定するステップと、
・この承認が、特に作製のリモートアクティベーションといったあるアクションのアクティベーションを許可するかどうか検討するステップとを含む。
【００１８】
認証情報に基づく承認の決定は、認証情報が、飲料準備マシンに格納されるとともにその各々に承認が割り当てられる１つ以上の認証情報と比較されることによって実行され得る。この割り当ては、異なる態様で、たとえば認証情報および承認のいくつかのペアを含むリストにて、飲料準備マシンにおいて実現され得る。当該手段によって、承認は各ペアにより認証情報に割り当てられる。代替的には、割り当てはさらに、認証情報のリストが各承認に割り当てられることにより行われ得る。これにより、承認はさらに各認証情報に割り当てられる。
【００１９】
実施形態において、少なくとも１つの上位承認および少なくとも１つの下位承認が飲料準備マシンに格納されており、飲料準備マシンは、飲料準備マシンのアクチュエータによりマシンアクションを行なうために設計されており、
・上位承認のみが、特に作製ステップといった少なくとも１つのマシンアクションがアクティベートされることを許可されることを含んでおり、
・下位承認は、特に作製ステップといったマシンアクションが、アクティベートされることが許可されないことを含む。
【００２０】
これにより、異なる動作機器にそのような異なる承認を割り当てることが可能であり、これにより、上位承認を有する動作機器はマシンアクションをアクティベートすることを承認されるが、下位承認を有する動作機器は承認されない。
【００２１】
実施形態において、さらに、少なくとも１つの中間承認が飲料準備マシンにおいて格納可能であり、
・上位承認のみが、中間承認を新しく作成するためのアクション、または、中間承認を変更するためのアクションがアクティベートされることが許可されることを含んでおり、
・中間承認が、特に作製ステップといった少なくとも１つのマシンアクションがアクティベートされることを許可されることを含む。
【００２２】
本願明細書において、実施形態において、ちょうど３つの（または中間承認が存在しない場合はちょうど２つの）承認が存在する。他の実施形態において、各々がいくつかの下位承認、中間承認および上位承認を有するグループが存在する。本願明細書において、前述のマシンアクションに関するあるグループの承認と、中間承認の作成または変更とは、同じであるが、他のアクションに関して異なり得る。
【００２３】
実施形態において、中間承認を作成する際に、この中間承認は、割り当てられた認証情報と一緒に飲料準備マシンに格納される。
【００２４】
実施形態において、第２の動作機器のための中間承認の作成は、第１の動作機器によって実行され、
・第１の動作機器が、飲料準備マシンおよびその通信ユニットとそれぞれ通信し、飲料準備マシンにおいて中間承認の作成をアクティベートし、飲料準備マシン（１）において、基本認証情報がこの中間承認に割り当てられるステップと、
・第１の動作機器が、第２の動作機器にリモート認証情報を送信し、リモート認証情報が、飲料準備マシンに格納される基本認証情報に基づいて、第２の動作機器が飲料準備マシンにおいて自身を認証することを許可するステップとが実行される。
【００２５】
ここで使用される基本認証情報は、飲料準備マシンに既に格納されている認証情報と同じであり得るか、または、第１の動作機器から飲料準備マシンに送信され得る。これは、第１の動作機器に割り当てられて飲料準備マシンに格納されている承認は上位承認であるということと、これは飲料準備マシンにおける送信または格納が許可される前に成功裡に検討されたということとを意味する。
【００２６】
実施形態では、基本認証情報およびリモート認証情報は同一であり、たとえば、１つ以上のキーを生成するために使用される共通キーまたは暗号の「ソルト」と等しい。
【００２７】
他の実施形態では、基本認証情報およびリモート認証情報は互いに異なり、第２の動作機器の認証のための根拠は飲料準備マシンに存在する。たとえば、それらは、「公開キー」符号化方法の公開キーおよび対応する秘密キーであり得る。
【００２８】
実施形態において、第１の動作機器が第２の動作機器にリモート認証情報を送信する第２の通信媒体が、第１の動作機器が飲料準備マシンと通信する第１の通信媒体とは異なる。
【００２９】
これにより、ハッカーが、ユーザになりすますために、単一の通信媒体を介して通信を傍受することによりすべての情報を得るのを防止し得る。
【００３０】
実施形態において、第１の動作機器は、特に、
・第１の動作機器のディスプレイ上で文字列を表示し、第２の動作機器においてこのコードを手動で入力することと、
・第１の動作機器のディスプレイ上に、たとえばバーコードといった視覚的コードを表示し、第２の動作機器によってコードを光学的にスキャニングおよびデコードすることと、
・音響信号と、
・たとえばブルートゥースまたはＮＦＣといった短距離無線プロトコルと
のうちの１つによって、
短距離内でのみ動作する通信を介して第２の動作機器にリモート認証情報を送信する。
【００３１】
一時的に変化する表示の明るさにより視覚的コードも表示され得る。
音響信号は、第１の動作機器のラウドスピーカにより送られ得、第２の動作機器のマイクロフォンによって受け取られ得る。
【００３２】
実施形態において、動作機器への承認の割り当ては、同じ（すなわち共通の）認証情報と、飲料準備マシンに格納される承認とを使用する同じ承認の動作機器がこの（共通の）認証情報に割り当てられることにより実現される。
【００３３】
この場合、認証情報は、すべてが同じ承認を有する動作機器のあるグループに動作機器が属するという事実を表わす。したがって、これにより、飲料準備マシンに格納され認証情報に割り当てられる承認は、飲料準備マシンがある認証情報を受信した後、決定され得る。この承認は、このグループのすべての動作機器に該当する。次いで、この承認に従って、動作機器によって飲料準備マシンにおいて、あるアクションまたは読出アクセスもしくは書込アクセスがアクティベートされることが許可されるかどうか決定され得る。
【００３４】
実施形態において、動作機器への承認の割り当ては、個々の認証情報と、飲料準備マシンに格納される承認とを使用する動作機器の各々がこの個々の認証情報に割り当てられることにより実現される。
【００３５】
この場合、認証情報は、動作機器がたとえば明白に割り当てられた識別子を有するある個々のものであり、同じ認証情報を有する他の動作機器は存在しないという事実を表わす。次いで、これにより、飲料準備マシンに格納され認証情報に割り当てられる承認は、飲料準備マシンがある認証情報を受信した後、決定され得る。この承認は、ちょうどこの１つの動作機器について有効である（他の同等の承認が存在し得るが、動作機器へのそれらの割り当ては、動作機器と認証情報との間のさらに別の割り当てにより表わされる）。この承認に従って、飲料準備マシンにおいて動作機器によってあるアクションまたは読出アクセスもしくは書込アクセスがアクティベートされることが許可されるかどうか決定され得る。
【００３６】
実施形態において、特に作製ステップといった飲料準備マシンにおけるあるアクションは、対応するアクティベーションコマンドが、飲料準備マシン自身によってベースステーションとして規定される無線ネットワークにおいて受信される場合にのみアクティベート可能である。したがって、この場合、飲料準備マシンまたはその通信ユニットは、無線ネットワークのワイヤレスアクセスポイントまたはベースステーションを形成する。
【００３７】
記載されたステップは飲料準備マシン上で行なわれるので、飲料準備マシンは前述の方法を実行するために設計されている。
【００３８】
コンピュータプログラムは、ユーザとのインタラクションのために、かつ、飲料準備マシンの通信ユニットとの無線通信のために、動作機器の動作のために機能する。動作機器上での実行の際、コンピュータプログラムは少なくとも、第２の動作機器のための中間承認を作成するために、
・飲料準備マシンにおける割り当てられた基本認証情報により中間承認を作成するためのコマンドを飲料準備マシンに送信するステップと、
・飲料準備マシンに格納される基本認証情報に基づいて、第２の動作機器が飲料準備マシンにおいて自身を認証することを許可するリモート認証情報を第２の動作機器に送信するステップとを実行する。
【００３９】
動作機器は、タッチスクリーンとして組み合わせられ得る入力デバイスおよび出力デバイスと、データ処理ユニットと、飲料準備マシンとの通信のための通信ユニットとを含む。動作機器は、特にたとえば携帯電話もしくはスマートフォンといったポータブルデバイスのようなモバイルであり得るか、または、スマートウォッチまたはウェアラブルコンピュータのような機能的に同等なデバイスであり得る。動作機器はさらに、たとえばビルディングオートメーション設備またはキッチンオートメーション設備の一部分として、固定された態様で設置され得る。動作機器のおかげで、特に動作機器の入力デバイスおよび出力デバイスといった動作要素ならびにそのプログラマビリティおよび演算パワーが、飲料準備マシンのアクティベーションのために利用され得る。
【００４０】
動作機器は、記載された方法の少なくとも一部分を実行するために設計され得る。動作機器は、通信接続を介して飲料準備マシンと通信する。本願明細書において、典型的に、受取容器の選択または全体積と、絶対的または相対的な量割合と、たとえば、温度、部分製品の準備のシーケンス、飲料の名称、ユーザの名前、準備のヒントおよび推奨、カプセルの嗜好といった、随意に部分製品のさらに別のパラメータとを示すデータが、飲料準備マシンに送信される。さらに別のデータは、ユーザが表示されたユーザインストラクションを行なったという事実をシステムに表示する確認入力であり得る。表示されるべき量割合についての初期値、ユーザインストラクションなどは、飲料準備マシンから動作機器に送信され得る。
【００４１】
実施形態において、システムは、第２の部分製品としてミルクを随意にミルクの加熱中に供給するために設計されているとともに、ミルク泡を形成し、ミルク泡を合計製品へ第３の部分製品として供給するために設計されている補助ユニットを含む。
【００４２】
動作機器上での実行のためのコンピュータプログラムは、動作機器のデジタル処理ユニットの内部メモリにロードされ得、コンピュータプログラムコード手段を含む。コンピュータプログラムコード手段は、動作機器のデジタルデータ処理ユニットにおいて実行される場合に動作機器のために意図される上記方法のステップをこれに行なわせる。コンピュータプログラムプロダクトは、コンピュータプログラムコード手段が格納されるデータキャリアまたはコンピュータ読取可能媒体を含む。
【００４３】
実施形態において、飲料準備マシンには、自動的にポーションパッケージを供給し得るとともにポーションパッケージをカプセルレシーバへ運び得る供給ユニットが設けられている。供給ユニットは、異なるタイプのポーションパッケージの選択的な供給のために設計され得る。これにより、異なるタイプの合計製品の自動作製が可能になる。本願明細書において、準備規定に従って合計製品を作製する際に、一致するポーションパッケージ、換言すると、準備規定と一貫しているポーションパッケージが自動的に供給され得る。
【００４４】
そのような供給ユニットを有するさらに別の実施形態において、作製タスクとして、アクティベーションコマンドおよび割り当てられた準備規定を各々が伴ういくつかの受信ステップが飲料準備マシンにおいて実行され得る。これらのステップは、格納され得、別個の作製ステップで連続的に作業され得る。随意に、作製ステップの完了後、各々の場合において、完了確認ステップがユーザに通知するために行なわれる。検討ステップおよび確認ステップは各々、個々の作製ステップを行なう前に行なわれ得る。ユーザインストラクションは、ある作製ステップの始まりの前に、ちょうど充填された受取容器を空の受取容器に置換することをユーザに要求するために、作製ステップ同士の間においても送信され得る。
【００４５】
実施形態において、作製ステップが行われることになる絶対時間が、既に格納されていた作製ステップのための絶対時間の前または後のたとえば３分といった予め規定された長さの間隔内にある場合、ある時間の遅延を伴う作製のプログラミングは受け入れられない。
【００４６】
実施形態において、格納された準備規定または作製タスクを記述する情報が、動作ユニットまたは動作機器に表示される。そのような情報は、作製の時間および／またはレシピの名称であり得る。さらに、格納された準備規定または作製タスクが存在するという情報のみが、たとえば特にＬＥＤといった光表示により表示され得る。
【００４７】
さらに別の好ましい実施形態は従属項に由来している。本願明細書において、方法の請求項の特徴は、適切な場合、デバイスの請求項およびコンピュータプログラムの請求項と組み合わせられ得、その逆も可能である。
【００４８】
本発明の主題は、添付の図面において表わされる好ましい実施形態例として以下により詳細に説明される。各々の場合、概略的な態様で示される。
【図面の簡単な説明】
【００４９】
【図１】飲料準備のためのシステムの図である。
【図２】飲料準備マシンの動作のための方法のフロー図である。
【図３】飲料準備マシンの動作のための方法のフロー図である。
【発明を実施するための形態】
【００５０】
基本的に、図において、同一部分には同一の参照番号が付されている。
図１は、ポーションパッケージ３からの少なくとも１つの抽出材料で受取容器２を充填するための飲料準備マシン１を有する飲料準備のためのシステムを示す。飲料準備マシン１は、第１の通信接続５１を介してイントラネットまたはインターネットのような通信ネットワーク５に接続され得る。たとえば携帯電話またはスマートフォンといったモバイルまたはポータブルであり得る動作機器４ａ，４ｂ，４ｃまたは飲料準備マシン１の動作のためにのみ提供される専用デバイスは、第２の通信接続５２，５２’および通信ネットワーク５を介して間接的な態様で飲料準備マシン１と通信し得るか、または、第３の通信接続５３，５３’を介して直接的に飲料準備マシン１と通信し得る。２つの動作機器４ａ，４ｂは、二方向に、または、たとえば第１の動作機器４ａから第２の動作機器４ｂへの少なくとも一方向に第４の通信接続５４を介して互いに通信し得る。
【００５１】
飲料準備マシン１は、抽出流体により抽出物を抽出するためのベースユニット１０を含む。飲料準備マシン１はたとえば、それ自体公知のタイプのポーションカプセルコーヒーマシンであり、ベースユニット１０は導入モジュールであり、抽出流体は圧力下のお湯である。抽出物は受取容器２に供給される。
【００５２】
ポーションパッケージ３は、ポーションパッケージング（たとえばカプセル）と、ポーションパッケージングに含まれる抽出材料（たとえばコーヒー）とを含む。
【００５３】
飲料準備マシン１は、たとえばミルクおよび／またはミルク泡といった少なくとも１つのさらに別の製品または部分製品を送達または作製し得る補助ユニット１１を含んでおり、受取容器２に同様に供給される。補助ユニット１１は、少なくとも１つのさらに別の製品を加熱または冷却するための加熱要素および／または冷却要素を含み得る。
【００５４】
抽出物および少なくとも１つの部分製品は、同時または連続する態様で受取容器２に供給され、たとえば、コーヒーと、冷たいまたは暖かいミルクと、または冷たいまたは暖かいミルク泡からなる「カフェマキアート」といった合計製品を受取容器２において一緒に形成する。合計製品は、第１の割合２１、第２の割合２２および第３の割合２３からなるものとして概略的に表わされる。受取容器２におけるこれらの割合は、準備規定に依存して、互いの上に積層されるか、または、混合され得る。「割合」は、体積割合または量割合として理解されるべきである。
【００５５】
ベースユニット１０および補助ユニット１１の制御に関し、ユーザによる動作および他のデバイスとの随意の通信のために、飲料準備マシン１は、制御ユニット１２、上位制御ユニット１３、動作ユニット１４および通信ユニット１５を含む。
【００５６】
制御ユニット１２は、たとえばこれらのユニットのポンプ、バルブ、加熱要素などをアクティベートすることによるベースユニット１０および補助ユニット１１のアクティベーションのために構成され、かつ、温度、圧力、フローなどの測定値を検出（取得）しこれらを処理するために構成される。制御ユニット１２の機能は、たとえばマイクロコントローラといった単一の物理電子ユニットによって実現され得るか、または、各々がベースユニット１０および補助ユニット１１に割り当てられ、通信バスを介して互いに通信するか、もしくは、信号リードを介して個々のアナログ信号あるいはバイナリ信号を送信するいくつかの物理ユニットまたはマイクロコントローラによって実現され得る。
【００５７】
上位制御ユニット１３は、動作ユニット１４および通信ユニット１５をアクティベートするために構成される。上位制御ユニット１３は、制御ユニットから物理的におよび／またはプログラム技術的に分離される態様で実現され得るが、制御ユニット１２と一緒に単一ユニットを形成し得る。このコンテキストでは、実施形態によれば、制御ユニット１２および上位制御ユニット１３は同一であり得る。
【００５８】
動作ユニット１４は、たとえばスイッチ、キー、および／または、ジョグダイヤルもしくは調節ホイール、および／または、タッチセンシティブ表面といった入力ユニット１４１と、ライトまたはスクリーンなどといった光学表示手段、および／または、ラウドスピーカ、加算器などといった音響表示手段を有する出力ユニット１４２とを含む。実施形態では、動作ユニット１４はスクリーンを含まない。飲料準備マシン１のプログラミングに関する情報は、動作機器４のスクリーンに表示され得る。
【００５９】
通信ユニット１５は、（たとえばＷｉ−Ｆｉ（登録商標）、ブルートゥース（登録商標）などによる）無線であり得るか、または、（たとえばイーサネット（登録商標）、ＵＳＢ（登録商標）による）有線接続される第１の通信接続５１を介する通信のために構成され、特に通信ネットワーク５との通信のために構成される。さらに、通信ユニット１５は、（たとえばＷｉ−Ｆｉ、ブルートゥース、ＮＦＣなどによる）無線の態様で動作ユニット４と通信し得、または、（たとえばＵＳＢによる）有線接続された態様で動作ユニット４と通信し得る。通信ユニット１５はさらに、たとえばＵＳＢインターフェイスまたはＳＤカードインターフェイスを介して、リムーバブルポータブルデータキャリアの読出および書込を行うために構成され得る。
【００６０】
１つ以上の動作機器４ａ，４ｂ，４ｃが存在し得る。典型的には携帯電話またはスマートフォンであるそのような動作機器４は、たとえば入出力ユニットとして機能するタッチセンシティブスクリーンまたはタッチスクリーンのようなユーザインターフェイス４４を含む。付加的または代替的には、動作機器４のボタン（キー）がさらに入力ユニットとして機能し得る。これに加えてまたはこれの代わりに、スピーチ入力が実現され得る。
【００６１】
言及されていないが、動作ユニット１４および／または動作機器４を介して、情報がユーザに出力され得るとともにユーザの入力が入力され得る。したがって、この記載において、ユーザとのインタラクションが記載される場合、これは、動作ユニット１４による出力もしくは入力および／または動作機器４による出力もしくは入力も意味するということが理解されるべきである。したがって、一般化すると、これらはインターフェイスユニットと称され得る。
【００６２】
上位制御ユニット１３は、たとえば準備規定またはレシピが格納されるメモリ１３１を含む。準備規定は、ベースユニット１０および補助ユニット１１の制御のためのコマンドに変換され得る少なくとも制御情報を含む。そのような制御情報は、一方では、ベースユニット１０および／または補助ユニット１１によって合計製品を作製するために行なわれるべきステップのシーケンスを特定するシーケンス情報を含む。他方では、制御情報はたとえば、以下では一般的に準備パラメータと称される、シーケンスをパラメータ化する温度、体積の詳細、時間の詳細などを含む。
【００６３】
シーケンス情報はたとえば、「補助ユニット１１の水加熱手段をスイッチオンし、１５秒間、導入モジュールのポンプをスイッチオンし、ポンプをスイッチオフした後に、加熱手段が所望の温度になるまで少なくとも５秒間待機し、１２秒間ミルクポンプをスイッチオンする」ことを表す。この例において言及される時間および温度は、準備パラメータによって特定され得、および／または、他の準備パラメータおよびセンサの測定値に従った制御によって決定され得る。
【００６４】
準備規定はさらにユーザインストラクションを含み得る。これらのインストラクションは、合計製品の準備の一部分であり、ユーザによって行なわれなければならないものである。これについて、ユーザインストラクションは、出力ユニット１４２または動作機器４のユーザインターフェイス４４により表示され得る。たとえば、そのようなユーザインストラクションは、「アイスキューブを追加してください」、「２０ｍｌのカラメルシロップを測定してください」、「準備したカラメルシロップを追加してください」、「かき混ぜてください」、または、「挿入されたカプセルおよび選択されたレシピが一致するかどうか検討してください」などである。ユーザインストラクションには、たとえば作製される合計製品のビジュアル表現または選択されたかもしくは実際に挿入されたカプセルのビジュアル表現などが伴い得る。
【００６５】
製品を準備するために、制御情報または対応するコマンドが、準備規定に従ってベースユニット１０および補助ユニット１１によって実現され、準備シーケンスはこれによって実現される。準備規定がユーザインストラクションを含む場合、これらはシーケンスの対応する位置でユーザに表示される。準備シーケンスのその後の制御情報は、入力ユニット１４１またはユーザインターフェイス４４を介したユーザによる承認の後に実施される。当該承認は、システムに対するユーザインストラクションの実行を確定する。
【００６６】
準備規定は、ユーザによって適合されることが許可される準備パラメータと、ユーザによって適合され得ない準備パラメータとを含み得る。適合可能な準備パラメータはたとえば、合計製品における部分製品の（体積）割合、部分製品の合計量または温度である。適合可能な準備パラメータについて、準備規定は、ユーザがパラメータを適合しない場合に使用される標準値またはデフォルト値を含み得る。
【００６７】
適合可能な準備パラメータを適合するために、飲料準備マシン１の動作ユニット１４上または動作機器４のユーザインターフェイス４４上において、１つ以上のそのような準備パラメータの選択がユーザに表示され、準備パラメータを適合するためのユーザの入力が検出される。上記入力は、動作ユニット１４または動作機器４のタッチスクリーン上で、キーもしくは特定の「矢印キー」における「ボタン」および／または変位可能なマーキングもしくは「スライダ」といった実際のボタンおよび／または仮想ボタンを始動させることにより、実行され得る。
【００６８】
動作ユニット４は、量割合のような検出されたユーザ入力を表わす情報、受取容器または合計量の選択、温度選択などを、第３の通信接続５３を介して直接的な態様で飲料準備マシン１に送信するか、または、第２の通信接続５２および第１の通信接続５１を介して間接的に送信する。
【００６９】
ポーションパッケージ３にはマシン読取可能なポーションコード３３が設けられる。これは、たとえば光学的な態様、機械的な態様、無線を介したワイヤレスな態様で読み取り可能な情報キャリアによって実現され得るか、または、２つ以上のそのような情報キャリアの組み合わせによって実現され得る。ポーションコード３３は、ポーションパッケージ３が割り当てられるカテゴリを特定するポーションカテゴリ３１を表わす。そのようなカテゴリは、「エスプレッソ」、「普通のコーヒー」、「フィルタコーヒー」、「お茶」および「特別なカプセル」のような異なるカテゴリの飲料または製品であり得る。ポーションコード３３はさらに、ポーションパッケージ３が割り当てられるポーション識別性３２を表わす。そのような識別性は、「アラビカＮｏ．４２」または「コロンビアスペシャル」のようなある個々の製品またはバラエティを表わし得る。同じポーションカテゴリ３１を有するポーションパッケージ３は異なるポーション識別性３２を有し得る。したがって、異なる識別性のポーションパッケージ３または対応する製品は、ポーションカテゴリ３１によりカテゴリにグループ分けされ得る。
【００７０】
準備パラメータについて推奨または許容可能な範囲へのポーションコード３３またはポーションカテゴリ３１および／もしくはポーション識別性３２の割り当ては各々の場合、飲料準備マシン１に格納され得る。これにより、ポーションパッケージ３を挿入した後、ポーションコード３３に基づいて、ポーションパッケージ３がユーザによってセットされる量割合と適合しているかどうかを自動的に検討し得、および／または、ポーションパッケージ３がユーザによって選択される準備規定と一貫しているかどうかを自動的に検討し得、したがってこれは準備規定に好適である。これがそうでない場合、警告が表示され得、および／または、ポーションパッケージ３のさらに別の処理が停止され得る。代替的には、選択されたカプセルが選択された量割合に特によく適合している場合、肯定的なメッセージを生成することも可能である。たとえば、普通のコーヒーのために意図されるコーヒー量がユーザによって選択されている場合、エスプレッソカプセルは最適ではいない。さらに、ミルクを有する飲料の準備が選択されている場合、クリーニングカプセルまたはお茶カプセルは基本的に好適ではない。
【００７１】
図２は、飲料準備マシン１を動作するための方法のシーケンスのフロー図を示す。この方法は、作製プロセスが実行される能力を保証する。別の態様で述べられていなければ、ステップは飲料準備マシン自体によって行なわれる。上記ステップは以下のとおりである。
【００７２】
・受信ステップ６１：飲料準備マシン１の無線通信ユニット１５がアクティベーションコマンドを受信する。
【００７３】
・検討ステップ６２：飲料準備マシン１が合計製品を作製する準備ができているかどうか検討される。
【００７４】
・飲料準備マシン１の準備ができているかどうかに依存する分岐６３。
・飲料準備マシン１の準備ができている場合、
・アクティベーションコマンドが受信されたことと、飲料準備マシン１が合計製品を作製する準備ができていることとの確認を通信ユニット１５により送信するための確認ステップ６４。
【００７５】
・飲料準備マシン１による合計製品の作製が行なわれる製造ステップ６５。
・作製がエラーなしの態様でその経過をたどったかどうかに依存する第２の分岐６６。
【００７６】
・作製がエラーなしの態様でその経過をたどった場合、
・合計製品の作製が完了したという完了確認が通信ユニット１５を介して送信される完了確認ステップ６７。動作機器４は、ユーザのために対応する表示を示す。完了確認ステップ６７の実施はさまざまな態様で達成され得る。たとえば、飲料準備マシン１が動作機器４へメッセージをアクティブに送信する「プッシュ」方法、または、動作ユニット４が飲料準備マシン１のステータスを繰り返し照会する「ポーリング」方法により達成され得る。
【００７７】
・作製がエラーなしの態様で経過をたどっていない場合、
・合計製品の作製の際にエラーが発生したという作製エラーメッセージが通信ユニット１５により送信される作製エラーメッセージステップ６８。作製エラーメッセージは、エラーおよび／もしくはその対処のタイプについての情報を含み得るか、または、たとえば動作機器４に格納され表示されるそのような情報を参照し得る。
【００７８】
・作製エラーメッセージに基づいてエラーの対処がユーザによって行なわれ得る作製エラー対処ステップ６９。
【００７９】
・ユーザが動作機器４によりアクティベーションコマンドを新たに送信した後、受信ステップによる上記方法の継続。
【００８０】
・飲料準備マシン１の準備ができていない場合、
・アクティベーションコマンドが受信されたが飲料準備マシン１は合計製品を作製する準備ができていないという確認とともにエラー情報が通信ユニット１５によって送信されるエラー情報ステップ７０。エラー情報は、これを決定した検討ステップのタイプに依存する。エラー情報は、構成要素および／もしくは補助ユニットが存在しないことに関し得、飲料準備マシンの動作状態に関し得、または、準備規定と飲料準備マシンの現在状態との間の非一貫性とに関し得る。
【００８１】
・エラー情報に基づいてエラーの対処および／または準備規定の適合がユーザによって行なわれ得るエラー対処ステップ７１。
【００８２】
・ユーザが動作ユニット４によりアクティベーションコマンドを新たに送信した後、受信ステップによる上記方法の継続。
【００８３】
図３は、飲料準備マシン１の動作のための方法のシーケンスのフロー図を示す。この方法は作製プロセスを実行することの承認を保証する。別の態様で述べられていなければ、ステップは飲料準備マシン自体によって行なわれる。上記ステップは以下のとおりである。
【００８４】
・受信ステップ８１：飲料準備マシン１の無線通信ユニット１５がアクティベーションコマンドおよび割り当てられた認証情報を受信する。その後、認証情報はキーとして送信され得る。代替的には、認証情報は、飲料準備マシン１と動作機器４との間の情報の交換の間にマルチステップ方法によって決定され得る。
【００８５】
・検討ステップ８２：認証情報に基づいて、飲料準備マシン１においてこのあるアクションをアクティベートすることについて、特に、作製のリモートアクティベーションについて承認されている動作機器４ａ，４ｂ，４ｃからアクティベーションコマンドが生じているかどうかが検討される。これはたとえば、飲料準備マシン１に格納されている承認であって、特に製造ステップのアクティベーションといったあるアクションがアクティベートされることが許可されているかどうか特定する承認を認証情報に基づいて決定することにより達成される。
【００８６】
・動作機器４ａ，４ｂ，４ｃが承認されているかどうかに依存する分岐８３
・動作機器４ａ，４ｂ，４ｃが承認されている場合、
・図２に関して既に記載された確認ステップ６４（随意）、製造ステップ６５およびその後のステップ。
【００８７】
・動作機器４ａ，４ｂ，４ｃが承認されていない場合、
・アクティベーションコマンドが受信されたが、動作ユニット４ａ，４ｂ，４ｃが特に作製のリモートアクティベーションといった上記あるアクションをアクティベートする準備ができていないというエラー情報が通信ユニット１５によって送信される承認エラーステップ９０。このエラー情報は動作機器４において表示され得る。
【００８８】
図２および図３に従った方法は互いに組み合わせられ得る。たとえば、図２から、
・飲料準備マシン１が合計製品を作製する準備ができているかどうかに関する検討ステップ６２と、
・その後の分枝６３とが、
図３において、
・分岐８３と、
・確認ステップ６４（随意）または作製ステップ６５との
間に加えられる。
【００８９】
異なるステージまたは承認が存在し得る。たとえば、図１の構成において、作製プロシージャが飲料準備マシン１においてアクティベートされることを許可する上位承認（または「アドミニストレータ承認」）が第１の動作機器４ａに割り当てられる。第３の動作機器４ｃは、この承認を有しておらず、「下位承認」または「ユーザ承認」のみを有している。これらにより、準備規定（レシピ）が適合され飲料準備マシン１に送信され得るが、作製のアクティベーションは飲料準備マシン１自体で行なわれなければならない。すなわち、飲料準備マシン１の動作ユニット１４上の動作要素を始動させることにより行なわれなければならない。これにより、任意のユーザが制御されていない態様で作製プロセスをアクティベートすることができないことが保証され得る。
【００９０】
中間承認（または「サブアドミニストレータ」）が第２の動作機器４ｂに割り当てられ得る。この中間承認は、この第２の動作機器４ｂによる製品の作製のアクティベーションを許可する。
【００９１】
動作機器４への中間承認の割り当ては単に、上位承認が割り当てられる動作機器４により達成され得る。したがって、上位承認を有する第１の動作機器４ａは、たとえば第２の動作機器４ｂのような別のものに中間承認を割り当て得る。これは、第１の動作機器４ａが第２の動作機器４ｂにキーまたは一般的な認証情報を割り当てることにより実現され得る。中間承認は飲料準備マシン１においてこの認証情報に割り当てられる。この認証情報は第１の動作機器４ａから第２の動作機器４ｂに送信される。これは好ましくは、傍受保護の目的で、動作機器４が飲料準備マシン１と通信するチャネル以外のチャネルである第４の通信接続５４を介して達成される。この他のチャネルは好ましくは、たとえば飲料準備マシン１との通信のためのＷｉ−Ｆｉ規格とは対照的なＮＦＣ規格またはブルートゥース規格に従って、短距離送信のためにのみ設計されている。他のチャネルも、たとえば第１の動作機器４から出力され第２の動作機器４ｂによって受信またはスキャニングされるバーコードまたはモールスコードのような光学信号により一方向であり得る。音響信号も一方向の信号として使用され得る。信号によって送信（伝送）される情報は、特に周波数範囲における変調および／または時間範囲における変調により、たとえばキャリア信号上に変調され得る。これらの中には、多周波数符号方法がある。音響信号が、ラウドスピーカまたは振動要素を介して生成され得る。振動要素または振動アラームは、不均衡を有する回転質量を有するモータであり得る。
【００９２】
第２の動作機器４ｂに割り当てられる認証情報は、動作機器４の各々について明瞭であり得る。
【００９３】
・共通のアドミニストレーションキーと、各々が動作機器４を単に識別するが承認に対応しない個々の識別キーとの組み合わせとして明瞭であり得る。飲料準備マシン１において作製プロセスをアクティベートするための承認を決定するためにアドミニストレーションキーが飲料準備マシン１に有効かどうか検討され得る。識別キーは、動作機器４ａが上位承認を有するかどうか決定するために使用される。飲料準備マシン１を構成する際に、排他的に、構成するために使用されるこの上位承認を有するのは第１の動作機器４ａであると特定され得る。その後、中間承認を発行するために、アドミニストレータキーのみが第２の動作デバイス４ｂに送信され得る。第２の動作ユニット４ｂは、第１の動作ユニットとは異なる識別キーを有するので、その結果、上位承認を有し得ず、如何なる承認も修正し得ない。
【００９４】
・あるいは、識別性をコード化する結合キーと動作機器４の承認とが存在し得る。作製プロセスをアクティベートするための承認と、さらに他の動作機器４への（中間）承認を発行するための承認とを特定する承認が飲料準備マシン１における各結合キーに割り当てられる。その後、結合キーは、中間承認を発行する際に第２の動作機器４ｂに送信され、中間承認を有する結合キーの割り当てが飲料準備マシン１に格納される。
【００９５】
一般に、それは、異なるキーまたは認証情報が第１の動作機器４ａから送信されずこの中で生成されなければならないという場合である。適切であることは、認証情報が共有されるという事実である。本願明細書において、秘密キーおよび公開キーのキーペアの生成も「認証情報を共有する」ことを示している。
【００９６】
認証情報の送信も、好適な暗号方法の使用中に公衆通信ネットワーク５を介して達成され得る。
【図１】
2020513898.tif 000003
【図２】
2020513898.tif 000004
【図３】
2020513898.tif 000005
【国際調査報告】
2020513898.tif 000006
2020513898.tif 000007
2020513898.tif 000008
2020513898.tif 000009
2020513898.tif 000010
2020513898.tif 000011